(57)【要約】【課題】  面状ケーブル部材の接続部の補強方法を提供する。【解決手段】  ＦＰＣ３が接続された表示用パネルを載せるための段差部４ａを設けた流動材流れ止め下治具４と、流動材流れ止め下治具４の上面に重ねられた、ＦＰＣ逃げ部６を設けた流動材流れ止め上治具５と、流動材塗布用シリンジ１１とを用い、表示パネルのＦＰＣ３が接続された面と、表示パネルと下治具４および上治具６との隙間とにシリンジ１１で流動材を塗布する。【選択図】    図１
2005018051.tif 000002
【特許請求の範囲】
【請求項１】
基板に形成された配線に面状ケーブル部材を接続した接続部を、補強材で補強する方法であって、
流動材を供給する工程と、
該流動材を硬化させて前記補強材とする工程とを有しており、
前記流動材を供給する行程は、前記面状ケーブル部材が接続された基板と冶具とを近接させて、該冶具によって前記流動材の流れ出しを抑制しながら前記補強材を形成する領域に前記流動材を供給する行程であることを特徴とする面状ケーブル部材の接続部の補強方法。
【請求項２】
前記流動材を供給する行程は、前記冶具の所定面が、前記基板の前記面状ケーブル部材が接続される面である第1の面とは非平行になるように前記冶具と前記基板とを配置した状態で、前記冶具の所定面によって前記流動材の流れ出しを抑制しながら前記流動材を供給する行程である請求項１に記載の面状ケーブル部材の接続部の補強方法。
【請求項３】
前記所定面と該所定面に対向する更なる面と、それらの面によって挟まれる領域の底面とで凹部を形成し、該凹部に前記流動材を供給する請求項２に記載の面状ケーブル部材の接続部の補強方法。
【請求項４】
前記基板の端面と前記所定面と、それらの面で挟まれる領域の底面とによって凹部を形成し、該凹部に前記流動材を供給する請求項２または３に記載の面状ケーブル部材の接続部の補強方法。
【請求項５】
前記冶具は、前記基板が配置される凹形状を有しており、該凹形状の壁面を前記所定面として用いる請求項２から４のいずれかに記載の面状ケーブル部材の接続部の補強方法。
【請求項６】
前記冶具は、下冶具と上冶具から構成されており、該下冶具と上冶具の間から前記面状ケーブル部材を逃がした状態で前記流動材の供給を行う請求項１から５のいずれかに記載の面状ケーブル部材の接続部の補強方法。
【請求項７】
前記補強材は前記面状ケーブル部材の両面に形成する請求項１から６のいずれかに記載の面状ケーブル部材の接続部の補強方法。
【請求項８】
前記補強材は、前記面状ケーブル部材の導体の露出部もしくは前記配線もしくはその両方を雰囲気から封止するように形成する請求項１から７のいずれかに記載の面状ケーブル部材の接続部の補強方法。
【請求項９】
画像表示装置の製造方法であって、
表示パネルを構成する基板に形成された配線に面状ケーブル部材を接続する工程と、前記面状ケーブル部材を接続した接続部を補強する行程とを有しており、該補強する行程が請求項１から８のいずれかに記載された面状ケーブル部材の接続部の補強方法によってなされることを特徴とする画像表示装置の製造方法。
【発明の詳細な説明】
【技術分野】
【０００１】
本発明は面状ケーブル部材の接続部の補強方法及び、面状ケーブル部材を用い
た画像表示装置の製造方法に関する。
【背景技術】
【０００２】
近年、アノード電極を有するアノード基板（以下、フェイスプレートという）とカソード電極を有するカソード基板（以下、リアプレートという）からなる平板型画像形成装置は広く研究開発がなされており、使用される電子源としては、例えば、電界放出素子や、表面伝導型放出素子などを用いて構成されたものが提案されている。電界放出素子を用いた装置の一例としては、特許文献１があり、また、表面伝導型放出素子を用いた装置の一例として、特許文献２が挙げられる。
【０００３】
また、ディスプレイとしては上記に挙げた電子放出素子を用いたディスプレイに限らず、液晶ディスプレイやプラズマディスプレイやＥＬディスプレイなど、種々のディスプレイが知られている。
【０００４】
これらの画像形成装置は、表示素子を駆動するための配線等の表示制御のための配線を有しており、この配線と外部の回路との接続には、複数の配線を互いに絶縁できるように絶縁基体を用いて面状に束ねた面状ケーブル部材（フラットケーブル）が好適に使用される。例えば異方性導電接着フィルム（以下、「ＡＣＦ」という）を用いて駆動回路に延びるＦＰＣ（フレキシブルプリント回路基板）もしくは、ＴＡＢ（Tape Automated Bonding）テープとしてのＴＣＰ（テープキャリアパッケージ）が前記配線と接続される。
【０００５】
この面状ケーブル部材の金属配線は、外部からの力や環境に影響され易く、更に、電圧の印加により耐マイグレーション性が低下し、隣接配線間の絶縁を維持できなくなる。
【０００６】
特許文献３には、フレキシブルプリント回路基板において、表示パネル側の基板の配線パターンと接続する接続端子部の接続用導体の周囲部にフィルム状保護体の厚さ方向に貫通する複数の孔部を設け、フレキシブルプリント回路基板の接続端子部の接続用導体を基板の配線パターンに半田付けにより接続する半田付け工程と、半田付け工程において接続されたフレキシブルプリント回路基板の接続端子部に、絶縁性を有する樹脂を前記孔部を介して充填し、その半田付け接合部を覆うように樹脂封止部を形成する樹脂封止工程とが開示されている。
【特許文献１】米国特許第4884010号
【特許文献２】米国特許第5066883号
【特許文献３】特開平06-314866号（図１、３、４参照）
【発明の開示】
【発明が解決しようとする課題】
【０００７】
本発明は、面状ケーブル部材を用いる構成において、外部からの力が接続部にかかりにくい構造、及び／もしくは外部の雰囲気による影響を受けにくい構造を容易に形成できる新規な方法を実現することを課題とする。
【課題を解決するための手段】
【０００８】
本願に係る面状ケーブル部材の接続部の補強方法の発明は以下のように構成される。すなわち、基板に形成された配線に面状ケーブル部材を接続した接続部を、補強材で補強する方法であって、流動材を供給する工程と、該流動材を硬化させて前記補強材とする工程とを有しており、
前記流動材を供給する行程は、前記面状ケーブル部材が接続された基板と冶具とを近接させて、該冶具によって前記流動材の流れ出しを抑制しながら前記補強材を形成する領域に前記流動材を供給する行程であることを特徴とする面状ケーブル部材の接続部の補強方法である。
【発明の効果】
【０００９】
本願発明によると、好適な面状ケーブル部材の接続部の補強方法及び画像表示
装置の製造方法を実現することができる。
【発明を実施するための最良の形態】
【００１０】
本願に係る面状ケーブル部材の接続部の補強方法の発明の一つは上述したとおり物であり、これにより効率よく補強を行うことができる。なお冶具によって流動材の流れ出しを抑制するためには、冶具は前記基板と接触させるのが好ましいが、冶具と基板との間にわずかに隙間があっても該隙間からの流動材の流れ出しを必要な程度に抑制できるのであればかまわない。
【００１１】
ここで、前記流動材を供給する行程は、前記冶具の所定面が、前記基板の前記面状ケーブル部材が接続される面である第1の面とは非平行になるように前記冶具と前記基板とを配置した状態で、前記冶具の所定面によって前記流動材の流れ出しを抑制しながら前記流動材を供給する行程である構成を好適に採用することが出来る。冶具の前記所定面は平面でなくてもよい。
【００１２】
また、前記所定面と該所定面に対向する更なる面と、それらの面によって挟まれる領域の底面とで凹部を形成し、該凹部に前記流動材を供給する構成を好適に採用することが出来る。ここで更なる面としては、表示パネルを構成する部材の面を用いることが出来る。具体的には、前記基板上に配置される枠部材や、前記基板と対向して設けられる他の基板の端面などを用いることが出来る。また、該更なる面を冶具によって実現することもできる。また前記所定面と該所定面に対向する更なる面とによって挟まれる領域の底面としては、前記第1の面や冶具の面を用いることが出来る。供給された流動材を保持して流れ出しを抑制するための構成として、供給された流動材を保持する凹部を形成するのが好適である。この凹部を形成する一つの例としては、互いに非平行な2つの平面として前記第1の面と冶具の面とを用い、基板を傾けるなどによって前記第1の面と冶具の面とがいずれも非水平になるようにして凹部を形成して流動材を供給する構成を挙げることが出来る。ただしこの場合には、基板の複数の辺に面状ケーブル部材を接続している場合には、ある辺では流動材の流れ出しを抑制できるが、他の辺では流動材の流れ出しを抑制できないという状況が生じうる。その場合、各辺ごとに流動材供給行程及び硬化行程を行うことも出来るが、時間がかかってしまう。更なる面を用いて凹部を形成する構成を採用すると、基板を傾けなくても流動材供給を行うことが出来、また複数の辺に面状ケーブル部材を接続する構成であっても同時に流動材供給を行うことが出来るというメリットが生じる。後述の実施例ではこの構成を採用している。
【００１３】
また特に、前記基板の端面と前記所定面と、それらの面で挟まれる領域の底面とによって凹部を形成し、該凹部に前記流動材を供給する構成を好適に採用できる。これにより面状ケーブル部材の下に形成される補強材の厚さを厚くすることができる。
【００１４】
なお、前記冶具として、前記基板が配置される凹形状を有するものを用い、該凹形状の壁面を前記所定面として用いる構成を好適に採用できる。これにより凹形状の部分に基板を配置した状態で、複数の辺に接続された複数の面状ケーブル部材に対して順次にもしくは同時に補強を行うことができる。また凹形状の壁面と基板の端面との間に隙間ができるようにし、凹形状の底面と凹形状の壁面と基板の端面で囲まれる領域に流動材を供給するようにしてもよい。これにより面状ケーブル部材の下に形成される補強材の厚さを厚くすることができる。
【００１５】
また前記冶具を、下冶具と上冶具から構成されるものとし、該下冶具と上冶具の間から前記面状ケーブル部材を逃がした状態で前記流動材の供給を行う構成を好適に採用できる。補強材を厚く形成したい場合、流動材の流れ出しを堰き止める高さが高くなるように冶具の高さを高くすればよいが、面状ケーブル部材を冶具の上に逃がした状態で補強を行い、面状ケーブル部材を冶具の上に逃がした状態で補強部が形成されてしまうと、面状ケーブル部材を逃がした高さによって全体の厚さが増してしまう。下冶具と上冶具の間から面状ケーブル部材を逃がすことによって、面状ケーブル部材を逃がす高さを抑制でき、かつ、流動材の流れ出しを好適に抑制できる。
【００１６】
なお、前記補強材は前記面状ケーブル部材の両面に形成するのが好適である。
【００１７】
また前記補強材は、前記面状ケーブル部材の導体の露出部もしくは前記配線もしくはその両方を雰囲気から封止するように形成することで補強と同時に封止を行うこともできる。
【００１８】
また、本願に係る面状ケーブル部材の接続部の補強方法は、画像表示装置の表示パネルを構成する基板に形成された配線に面状ケーブル部材を接続する工程と、前記面状ケーブル部材を接続した接続部を補強する行程とを有する画像表示装置の製造方法において好適に採用することが出来、以下の実施例ではその例を示している。
【００１９】
また前記面状ケーブル部材がＦＰＣやＴＣＰであることが好ましく、前記流動材がシリコン、アクリル、ポリミド、ウレタン、のうちいずれかひとつを主成分とする流動材であることが好ましい。
【００２０】
以下、本発明の実施の形態について図面を参照して説明する。
【００２１】
（第１の実施の形態）
図１〜４に本発明の第１の実施の形態として、面状ケーブル部材であるＦＰＣ３を表示パネル側の基板と接続したときの接続部を補強及び封止する方法（以下に示す例では補強と同時に封止を行う例を好適な例として示すので、単に封止方法ともいう）の概要を示す。
【００２２】
本実施形態の封止方法を実施するための装置（治具）は図１〜４に示すように、ＦＰＣ３が接続された表示用パネルを載せるための段差部４ａを設けた流動材流れ止め下治具４と、流動材流れ止め下治具４の上面に重ねられた、ＦＰＣ逃げ部６を設けた流動材流れ止め上治具５と、流動材塗布用シリンジ１１とを備えている。この装置を使用する表示パネルは、ガラス基板上に蛍光体層（不図示）及びメタルバック（不図示）が形成されたフェイスプレート１と、電子放出部を含む電子源（不図示）及びスペーサ（不図示）が形成されたリアプレート２とを真空槽内で貼り合わせ封着されることによって構成された真空容器からなり、この表示パネルの引き出し配線電極部にＦＰＣ３が熱圧着等により接続され、さらに、表示パネルを駆動させるための回路基板に接続される。
【００２３】
本実施形態の封止プロセスの特徴は、図３に示すように段差部４ａが表示パネルの基板の４辺に対応して形成されることによって基板が配置される凹形状を構成している流動材流れ止め下治具４を用いる点にある。そして、段差部４ａにＦＰＣ接続済みの表示パネルを載せ、凹状の段差部４ａの周囲面にＦＰＣ３を載せ、図３（ａ）に示すように、ＦＰＣ３が接続されている辺と流動材流れ止め下治具４との間に約１〜5ｍｍ程度の間隙Ａが生じるように位置決めを行う。さらに、図４（ｄ）に示すように深さＢ及び幅ＣのＦＰＣ逃げ部６が数個連続して形成された流動材流れ止め上治具５を図１および図２に示すように流動材流れ止め下治具４の上に被せる。このとき、流動材流れ止め上治具５に形成された開口部５ａから、表示パネル周辺のＦＰＣ接続部が露出している。
【００２４】
その後、図１に示すように流動材塗布用シリンジ１１を用いて、表示パネル周辺におけるリアプレート２上のＦＰＣ接続面および、表示パネルと流動材流れ止め治具４，５の間隙Ａに流動材１２を塗布する。塗布した流動材１２は毛細管現象により、ＦＰＣ３が接続された第１の面１３及びＦＰＣ３の裏面である第２の面（図３（ｃ）参照）に流動材１２が流れ込んで行く。このとき、流動材流れ止め下冶具４の垂直面及び流動材流れ止め上冶具5の垂直面によって流動材の流れ出しが抑制される。特に、フェースプレート1の端面及びフェースプレートとリアプレートとの間にある枠部材（図１（ｂ）では枠部材はフェースプレート１と一体のものとして図示している）で構成される面と、前記冶具の垂直面との間に構成されている凹部に流動材を供給し、この凹部によって流動材が保持されている。またこの凹部はその内部に更なる凹部を含んでいる。すなわち、リアプレート２の端面と前記垂直面と前記流動材流れ止め下冶具４の凹形状の底面とで構成される凹部である。この更なる凹部に流動材が流れ込み硬化することでＦＰＣ３の裏面側に十分な厚さの補強材を形成している。
【００２５】
（第２の実施の形態）
図５〜８に本発明の第２の実施の形態として、面状ケーブル部材であるＴＣＰを表示パネル側の基板と接続したときの接続部を封止する方法の概要を示す。
【００２６】
本実施形態の封止方法を実施するための装置（治具）は図５〜８に示すように、表示用パネルを載せるための段差部４ａとその表示パネルにＴＣＰ７を介して接続されたＰＣＢ（プリント回路基板）８の厚みを逃がすＰＣＢ逃げ部１０とを設けた流動材流れ止め下治具４と、流動材流れ止め下治具４の上面に重ねられた、ＰＣＢ逃げ部１０並びにＴＣＰ７の厚みを逃がすＴＣＰ逃げ部１５を設けた流動材流れ止め上治具５と、流動材塗布用シリンジ１１とを備えている。この装置を使用する表示パネルは、ガラス基板上に蛍光体層（不図示）及びメタルバック（不図示）が形成されたフェイスプレート１と、電子放出部を含む電子源（不図示）及びスペーサ（不図示）が形成されたリアプレート２とを真空槽内で貼り合わせ封着されることによって構成された真空容器からなり、この表示パネルの引き出し配線電極部に複数のＴＣＰ７が熱圧着等により接続され、さらに複数のＴＣＰ７に対して、表示パネルを駆動させる集積回路９を実装したＰＣＢ８が接続されている。
【００２７】
本実施形態においては、図６および図７に示すように流動材流れ止め下治具４の段差部４ａに、ＴＣＰ７及びＰＣＢ８が接続された表示パネルを載せ、凹状の段差部４ａの周囲の面にＴＣＰ７及びＰＣＢ８を載せ、図７（ａ）に示すように、ＴＣＰ７及びＰＣＢ８が接続されている辺と流動材流れ止め下治具４との間に約１〜５ｍｍ程度の間隙Ａ２及びＡ３が生じるように位置決めを行う。さらに、図８（ｄ）に示すように深さＢ２及び幅Ｃ２のＴＣＰ逃げ部１５が数個連続して形成され、さらに各ＴＣＰ逃げ部１５と繋がるようにＰＣＢ逃げ部１０が形成された流動材流れ止め上治具５を、図５および図６に示すように流動材流れ止め下治具４の上に被せる。このとき、流動材流れ止め上治具５に形成された開口部５ａから、表示パネル周辺のＴＣＰ接続面と間隙Ａ２及びＡ３が露出している。
【００２８】
その後、図５に示すように流動材塗布用シリンジ１１を用いて、フェイスプレート１上のＴＣＰ接続面および、表示パネルと流動材流れ止め治具４，５の間隙Ａ２及びＡ３に流動材１２を塗布する。塗布した流動材１２は毛細管現象により、ＴＣＰ７が接続された第１の面１６，１８（図５（ｂ），図７（ｃ））及び、ＴＣＰ７の裏面である第２の面（図７（ｃ））に流動材１２が流れ込んで行く。
【００２９】
以上説明した各実施の形態によれば、ＦＰＣやＴＣＰなどの面状ケーブル部材が接続された表示パネルにおいて絶縁性の流動材を塗布する場合、上記の構成の流動材流れ止め治具４，５を用いることにより、余分な部分への流動材の流れ込みを防止することができる。さらに、面状ケーブル部材が接続された第１の面の上にした状態での流動材の供給と、面状ケーブル部材の裏面を上にした状態での流動材の供給とを別々の行程で行う必要がないので、界面が途中に形成されていない補強材（封止材を兼ねる）を面状ケーブル部材の両面に形成することが出来る。またこれまでは使用することが不可能であった低粘度の封止樹脂を使用することも可能となる。
【００３０】
さらに、この実施形態ではＦＰＣやＴＣＰなどの面状ケーブル部材に、樹脂を充填するための孔部を設けるなどの特殊な加工を行っていない。そのような特殊な加工を必要としないので、低コスト化が実現できる。
【００３１】
なお、図４に示す流動材流れ止め上治具５のＦＰＣ逃げ部６の深さＢおよび幅Ｃ、並びに図８に示す流動材流れ止め上治具５のＴＣＰ逃げ部１５の深さＢ２および幅Ｃ２は特に限定するものではなく、任意の、ＦＰＣ及びＴＣＰの幅、厚み等で設定されるものである。
【００３２】
また、図７および図８に示すＰＣＢ逃げ部１０の寸法は特に限定されるものではなく、任意の、ＰＣＢの幅、長さ、厚み等で設定されるものである。
【００３３】
また、流動材流れ止め治具4、5の流動材と接する面に流動材と流動材流れ止め治具4、5との離けい性を向上させるためにテフロン加工を施しても良い。
【実施例】
【００３４】
以下、図面を用いて本発明の実施例を詳細に説明するが、本発明はこれら実施
例によりなんら限定されるものではない。
【００３５】
（第１の実施例）
本発明の第１の実施例において、図９に示す画像形成装置を作製した。本実施例では、冷陰極電子放出素子である表面伝導型電子放出素子を電子放出素子として複数個、リアプレートに形成し、フェイスプレートには、蛍光体を形成し、有効表示エリアを対角１５インチとする縦と横の比が３：４のカラー画像形成装置を作製した。まず、本発明の画像形成装置を図９を用いて説明する。
【００３６】
図９は実施例に用いた画像形成装置の模式的部分切り欠き斜視図である。符号１はフェイスプレート、符号２はリアプレートを差し示している。符号９００はフェイスプレート１とリアプレート２との間に設けられる枠部材を差し示している。フェイスプレート１とリアプレート２と枠部材９００によって表示パネルが構成されている。リアプレート２上には、表示素子を構成する電子放出素子として表面伝導型電子放出素子がＮ×Ｍ個形成されている（Ｎ、Ｍは２以上の正の整数で、目的とする表示画素数に応じて適宣設定される。高品位テレビジョンの表示を目的とした表示装置においてはＮ＝３０００、Ｍ＝１０００以上の数を設定することが望ましい。本実施例においては、Ｎ＝３３３、Ｍ＝２５０とした。）。前記Ｎ×Ｍ個の表面伝導型電子放出素子は、Ｍ本の行方向線（下配線とも言う）Ｄｙ１からＤｙｍ、とＮ本の列方向線（上配線ともいう）Ｄｘ１からＤｘｎ、単純マトリクス配線されている。フェイスプレート1には電子放出素子からの電子の照射を受けて発光する蛍光体が配置されている。図９ではフェイスプレート１とリアプレート２と枠部材９００と行方向配線および列方向配線、および表面伝導型電子放出素子を示している。
【００３７】
リアプレート２に形成された配線は、フェイスプレート１とリアプレート２と枠部材９００によって形成される内部空間外に引き出されており、該引き出された部分には本願発明に係る面状ケーブル部材が接続される。
【００３８】
以上、本発明の封止プロセスを面状ケーブル部材と表示パネルの接続部に適用した画像形成装置の基本構成を説明した。次に図１〜４を用いて本発明の、面状ケーブル部材と表示パネルの接続部に対する封止プロセスを説明する。
【００３９】
まず表示パネルを形成する。続いて、引き出された配線であるＤｘ１〜Ｄｘｎ、Ｄｙ１〜Ｄｙｍの端部付近である電気接続端子に面状ケーブル部材をＡＣＦを介して熱圧着にて接続する。
【００４０】
次に流動性樹脂によって補強部を形成する。このプロセスは先に図１乃至４を用いて説明した方法によって行う。特にここでは補強とともに完全な封止を行うため、接続部（ここでは配線と面状ケーブル部材の導電体がＡＣＦを介して接続されている部分）を補強材で被覆するとともに、引き出された配線部と面状ケーブル部材の導電体の露出部分をすべて補強材で被覆する構成とした。なお、封止の必要がないのであれば、補強材は接続部から離れた場所に設けてもよい。
【００４１】
図３に示すように流動材流れ止め下治具４の段差部４ａにＦＰＣ接続済みの表示パネルを載せ、凹状の段差部４ａの周囲の面にＦＰＣ３を載せ、図３（ａ）に示すように、ＦＰＣ３が接続されている辺と流動材流れ止め下治具４との間に約１〜５ｍｍ程度の間隙Ａが生じるように位置決めを行う。さらに、図４（ｄ）に示すように深さＢ及び幅ＣのＦＰＣ逃げ部６が数個連続して形成された流動材流れ止め上治具５を図１および図２に示すように流動材流れ止め下治具４の上に被せる。このとき、流動材流れ止め上治具５に形成された開口部５ａから、表示パネル周辺のＦＰＣ接続面および間隙Ａが露出している。
【００４２】
その後、図１に示すように流動材塗布用シリンジ１１を用いて、表示パネル周辺におけるリアプレート２上のＦＰＣ接続面および、表示パネルと流動材流れ止め治具４，５の間隙Ａに流動材１２を塗布する。流動材としてはここでは2液型室温硬化シリコーン樹脂の硬化剤に希釈剤、例えばシンナー等を10％加えることによって硬化剤を希釈して粘性が25Ｐａ・ｓになるように調整したものを用いた。なお粘性は温度によって大きく変動するため、流動材が補強部に行き渡るまでは粘性が２５±５Ｐａ・sである状態を維持できるように雰囲気の温度を調整し、表示パネル及び面状ケーブル部材及び冶具の温度を該雰囲気温度と一致する温度に恒温化した状態で流動材の供給を行った。塗布した流動材１２は毛細管現象により、ＦＰＣ３が接続された第１の面１３及びＦＰＣ３の裏面である第２の面（図３（ｃ）参照）に流動材１２が流れ込んで行き、ＦＰＣ接続部の封止を行う。また、流動材が接する治具の流れ止め部は、流動材乾燥後の取り外し時に離型性を向上させるために離形成向上処理を施したもの（ここではテフロンでコーティングしたもの）を用いた。なお、ここでは、電子放出素子として、表面伝導型電子放出素子を用いたが、本発明はこれに限るものではない。
【００４３】
以上のような封止プロセスを経て完成した画像表示装置において、表示を行うことが出来た。高温高湿度環境槽内にて約１０００時間の耐久試験及び面状ケーブル部材の接続端子部における耐ヒートサイクル性寿命をみるための温度サイクル試験を行った。この温度サイクル試験は、試験対象物を内部温度が−４０度と１２５度とに設定された２つの恒温槽内に３０分ずつ交互に載置するもので、１０００サイクル実施している。このように交互に冷熱の雰囲気にさらされることにより、フレキシブル基板の接続端子部が急激に大きな熱応力を受けるように設定してその耐久性を外観的な面および電気的な面から判定するものである。
【００４４】
その結果、外観的に著しい劣化も見られず、また電気的な導通抵抗値の著しい上昇、隣接配線間の絶縁抵抗値の著しい低下のいずれも見られなかった。画像の表示も安定していた。
【００４５】
（第２の実施例）
次に本発明の第２の実施例について説明する。上記の第１の実施例は面状ケーブル部材にＦＰＣを用いた場合であるが、本実施例は面状ケーブル部材にＴＣＰ及びＰＣＢを用いた場合について示す。また、治具の形状を一部変更した以外は、第１の実施例とほぼ同様である。したがって、以下では第１の実施例と異なる点を説明するものとし、第１の実施例と同一部分については同一の符号を付して、説明を省略する。
【００４６】
図５〜８において、符号１はガラス基板上に図示しない蛍光体層及びメタルバックが形成されたフェイスプレートであり、符号２は図示しない電子放出部を含む電子源及びスペーサが形成されたリアプレートであり、フェイスプレート１及びリアプレート２は真空槽内で貼り合わせ封着されることによって真空容器を形成してある。符号７は表示パネルの引き出し配線電極部に熱圧着等により接続されたＴＣＰであり、符号８はＰＣＢであり、符号９はＰＣＢ８上の集積回路である。集積回路９は表示パネルを駆動させるためのものである。符号４は、表示パネルを載せるための段差部４ａ及びＰＣＢ８の厚みを逃がす為のＰＣＢ逃げ部１０を設けた流動材流れ止め下治具であり、符号５はＴＣＰ７の厚みを逃がすＴＣＰ逃げ部６及びＰＣＢ逃げ部１０を設けた流動材流れ止め下治具である。符号１１は流動材塗布用シリンジであり、符号１２は流動材である。
【００４７】
図６および図７に示すように流動材流れ止め下治具４の段差部４ａに、ＴＣＰ７及びＰＣＢ８が接続された表示パネルを載せ、凹状の段差部４ａの周囲の面にＴＣＰ７及びＰＣＢ８を載せ、図７（ａ）に示すように、ＴＣＰ７及びＰＣＢ８が接続されている辺と流動材流れ止め下治具４との間に約１〜５ｍｍ程度の間隙Ａ２及びＡ３が生じるように位置決めを行う。さらに、図８（ｄ）に示すように深さＢ２及び幅Ｃ２のＴＣＰ逃げ部１５が数個連続して形成され、さらに各ＴＣＰ逃げ部１５と繋がるようにＰＣＢ逃げ部１０が形成された流動材流れ止め上治具５を、図５および図６に示すように流動材流れ止め下治具４の上に被せる。このとき、流動材流れ止め上治具５に形成された開口部５ａから、表示パネル周辺のＴＣＰ接続面および間隙Ａ２及びＡ３が露出している。
【００４８】
その後、図５に示すように流動材塗布用シリンジ１１を用いて、フェイスプレート１上のＴＣＰ接続面および、表示パネルと流動材流れ止め治具４，５の間隙Ａ２及びＡ３に流動材１２を塗布する。塗布した流動材１２は毛細管現象により、ＴＣＰ７が接続された第１の面１６，１８（図５（ｂ），図７（ｃ））及び、ＴＣＰ７の裏面である第２の面（図７（ｃ））に流動材１２が流れ込んで封止を行い表示パネルを作成した。また、第１の実施例と同様にして画像を形成したところ、同様の結果を得た。
【００４９】
以上説明した各実施形態によれば、流動性の高い流動材を用いることができ、補強材を形成すべき部分に十分に流動材を供給することが出来る。また、流動材を供給する時の供給部（流動材塗布用シリンジのノズル）の位置によらず、該供給部との間に面状ケーブル部材が位置する領域に対しても流動材を供給することが出来、流動材の供給プロセスを簡略化できる。
【図面の簡単な説明】
【００５０】
【図１】本発明の第１の実施の形態による、面状ケーブル部材の接続部の封止プロセスを示す図で、（ａ）は流動材塗布工程の様子を示す斜視図、（ｂ）は表示パネルを載せた治具の部分断面図である。
【図２】本発明の第１の実施の形態による、面状ケーブル部材の接続部の封止プロセスで使用する治具の組み立て図である。
【図３】本発明の第１の実施の形態による、面状ケーブル部材の接続部の封止プロセスで使用する治具のうちの下治具を示し、（ａ）は表示パネルを載せた下治具の平面図、（ｂ）は下治具の断面図、（ｃ）は下治具の一部を拡大した断面図である。
【図４】本発明の第１の実施の形態による、面状ケーブル部材の接続部の封止プロセスで使用する治具のうちの上治具を示し、（ａ）は表示パネルを載せた上治具の正面図、（ｂ）は上治具の平面図、（ｃ）は上治具の側面図、（ｄ）は上治具の一部を拡大した断面図である。
【図５】本発明の第２の実施の形態による、面状ケーブル部材の接続部の封止プロセスを示す図で、（ａ）は流動材塗布工程の様子を示す斜視図、（ｂ）は表示パネルを載せた治具の部分断面図である。
【図６】本発明の第２の実施の形態による、面状ケーブル部材の接続部の封止プロセスで使用する治具の組み立て図である。
【図７】本発明の第２の実施の形態による、面状ケーブル部材の接続部の封止プロセスで使用する治具のうちの下治具を示し、（ａ）は表示パネルを載せた下治具の平面図、（ｂ）は下治具の断面図、（ｃ）は下治具の一部を拡大した断面図である。
【図８】本発明の第２の実施の形態による、面状ケーブル部材の接続部の封止プロセスで使用する治具のうちの上治具を示し、（ａ）は表示パネルを載せた上治具の正面図、（ｂ）は上治具の平面図、（ｃ）は上治具の側面図、（ｄ）は上治具の一部を拡大した断面図である。
【図９】面状ケーブル部材が接続される表示パネルの概略斜視図である。
【符号の説明】
【００５１】
１    フェイスプレート
２    リアプレート
３    ＦＰＣ
４    流動材流れ止め下治具
４ａ    段差部
５    流動材流れ止め上治具
５ａ    開口部
６    ＦＰＣ逃げ部
７    ＴＣＰ
８    ＰＣＢ
９    集積回路
１０    ＰＣＢ逃げ部
１１    流動材塗布用シリンジ
１２    流動材
１３、１６、１８    第１の面
１５    ＴＣＰ逃げ部
９００    枠部材
【図１】
2005018051.tif 000003
【図２】
2005018051.tif 000004
【図３】
2005018051.tif 000005
【図４】
2005018051.tif 000006
【図５】
2005018051.tif 000007
【図６】
2005018051.tif 000008
【図７】
2005018051.tif 000009
【図８】
2005018051.tif 000010
【図９】
2005018051.tif 000011